(57)【要約】【課題】電源ユニットの端子への接続作業を短時間で行い、天井への取付時間を短縮することができる照明装置を提供する。【解決手段】開口１ｄに向けて調光端子及び電源端子を配置し、作業者が開口１ｄに手を差し入れて開口１ｄ内の空間にて、導線を調光端子及び電源端子に容易に接続することができる構成とした。またフック１０を突出部１ｃａに設けて、ＬＥＤ５１を下側にして照明装置を天井に取り付けた場合に、照明装置が天井パネル１００内にその大部分が入り込み、天井パネル１００からほとんど突出せず、透光性カバー７が天井パネル１００と略面一になる構成とした。【選択図】図２
2011040230.tif 000002
【特許請求の範囲】
【請求項１】
光源を駆動する電源ユニットをフレームに備えてなる照明装置において、
前記フレームは、導体を接続する前記電源ユニットの接続部に外部機器を接続するための開口を備えることを特徴とする照明装置。
【請求項２】
前記接続部を前記開口に向けてあること
を特徴とする請求項１に記載の照明装置。
【請求項３】
前記フレームは、前記開口を挟んだ両側に複数の支持板部を備えており、
前記支持板部の一面側に前記光源を設けてあり、
前記支持板部の他面側に前記電源ユニットを設けてあり、
前記接続部は前記開口側に配置してあること
を特徴とする請求項１又は２に記載の照明装置。
【請求項４】
前記光源に対向しており、光を拡散して透過させる透光性カバーと、
前記フレームを取付対象に取り付けるための取付部材に掛止する掛止部とを備え、
該掛止部を前記取付部材に掛止した場合に、前記透光性カバーが前記取付対象と面一になるようにしてあること
を特徴とする請求項１から３のいずれか一つに記載の照明装置。
【請求項５】
前記フレームに設けてあり、前記透光性カバーを保持する保持片を備えることを特徴とする請求項４に記載の照明装置。
【請求項６】
前記フレームを取付対象に取り付けるための取付部材に掛止する掛止部を備え、
該掛止部は前記他面側に設けてあること
を特徴とする請求項３に記載の照明装置。
【請求項７】
前記掛止部はフック状をなすことを特徴とする請求項４から６のいずれか一つに記載の照明装置。
【請求項８】
前記フレームに前記取付部材に係止する係止部を設けてあり、
前記係止部は前記フレームと前記取付部材との隙間を塞ぐようにしてあること
を特徴とする請求項４から７のいずれか一つに記載の照明装置。
【請求項９】
前記光源はＬＥＤであることを特徴とする請求項１から８のいずれか一つに記載の照明装置。
【発明の詳細な説明】
【技術分野】
【０００１】
本発明は対象物を照明する照明装置に関する。
【背景技術】
【０００２】
従来、室内又は屋外の照明用の光源として、白熱電球及び蛍光灯が主として用いられている。近年、環境意識の高まりを受け、これらの光源に代えて、白熱電球及び蛍光灯に比較して低消費電力かつ長寿命という特性を有する発光ダイオード（以下ＬＥＤという）を光源とした照明装置が用いられるようになっている（例えば特許文献１参照）。特に天井に取り付ける照明装置は長時間連続して使用することが多いため、ＬＥＤを用いた照明装置が急速に普及している。
【０００３】
天井に取り付ける照明装置は、天井内に設けられたＴバーなどの取付部材を介して天井に取り付けることができるように構成されている。例えば、矩形の薄い箱状のフレームの内側に、基板にＬＥＤを植設してなるＬＥＤ基板と、電源ユニットとを設け、フレームの外側面にＴバーに掛止する掛止フックを設けて、照明装置を構成する。作業者は天井の一区画における天井パネルを取り外し、前記一区画の空間に照明装置を配置し、掛止フックをＴバーに掛止させて照明装置を取り付ける。電源ユニットには商用電源などを接続する端子が設けてあり、作業者は前記一区画に隣接する他区画の天井パネルを取り外し、該他区画の空間に入り込んで端子の接続作業を行う。
【先行技術文献】
【特許文献】
【０００４】
【特許文献１】特開２００９−１６０９３号公報
【発明の概要】
【発明が解決しようとする課題】
【０００５】
しかし前記他区画の天井パネルを取り外して端子の接続作業を行う場合、前記他区画の天井パネルの取り外し及び取り付けを行う必要があり、接続作業は長時間を要する。
【０００６】
本発明は斯かる事情に鑑みてなされたものであり、電源ユニットの端子への接続作業を短時間で行い、天井への取付時間を短縮することができる照明装置を提供することを目的とする。
【課題を解決するための手段】
【０００７】
本発明に係る照明装置は、光源を駆動する電源ユニットをフレームに備えてなる照明装置において、前記フレームは、導体を接続する前記電源ユニットの接続部に外部機器を接続するための開口を備えることを特徴とする。
【０００８】
本発明においては、外部機器に接続された導体を前記開口に挿入して、電源ユニットの接続部に接続することができる。
【０００９】
本発明に係る照明装置は、前記接続部を前記開口に向けてあることを特徴とする。
【００１０】
本発明においては、前記開口に向けて接続部が配置されているので、作業者は開口内の空間にて、導線を接続部に接続することができる。
【００１１】
本発明に係る照明装置は、前記フレームは、前記開口を挟んだ両側に複数の支持板部を備えており、前記支持板部の一面側に前記光源を設けてあり、前記支持板部の他面側に前記電源ユニットを設けてあり、前記接続部は前記開口側に配置してあることを特徴とする。
【００１２】
本発明においては、電源ユニットの開口側に接続部を設けてあるので、作業者は開口に手を差し入れて、導線を接続部に容易に接続することができる。
【００１３】
本発明に係る照明装置は、前記光源に対向しており、光を拡散して透過させる透光性カバーと、前記フレームを取付対象に取り付けるための取付部材に掛止する掛止部とを備え、該掛止部を前記取付部材に掛止した場合に、前記透光性カバーが前記取付対象と面一になるようにしてあることを特徴とする。
【００１４】
本発明においては、掛止部をＴバーなどの取付部材に掛止させた場合に、透光性カバーが天井などの取付対象と面一になるので、照明装置と取付対象とが渾然一体となった印象を醸しだし、照明装置のインテリア性を向上させる。
【００１５】
本発明に係る照明装置は、前記フレームに設けてあり、前記透光性カバーを保持する保持片を備えることを特徴とする。
【００１６】
本発明においては、保持片にて透光性カバーを保持しているので、透光性カバーの周囲全体に透光性カバーを保持する保持部材を設ける場合に比べて、外観意匠性が向上する。
【００１７】
本発明に係る照明装置は、前記フレームを取付対象に取り付けるための取付部材に掛止する掛止部を備え、該掛止部は前記他面側に設けてあることを特徴とする。
【００１８】
本発明においては、支持板部の他面側、すなわち電源ユニット側に掛止部を配置することで、光源を下側にして照明装置を天井に取り付けた場合に、掛止部はＴバーなどの取付部材の上部に掛止して、照明装置は天井に近接する。そのため照明装置は天井からほとんど突出しない。
【００１９】
本発明に係る照明装置は、前記掛止部はフック状をなすことを特徴とする。
【００２０】
本発明においては、掛止部がフック状をなすことで、天井に取り付けた照明装置に下側から物体が当接しても、照明装置は外れない。
【００２１】
本発明に係る照明装置は、前記フレームに前記取付部材に係止する係止部を設けてあり、前記係止部は前記フレームと前記取付部材との隙間を塞ぐようにしてあることを特徴とする。
【００２２】
本発明においては、掛止部が、Ｔバーなどの取付部材とフレームとの隙間を塞ぐので、照明装置の外観意匠性が向上する。
【００２３】
本発明に係る照明装置は、前記光源はＬＥＤであることを特徴とする。
【００２４】
本発明においては、光源としてＬＥＤを使用することで、発熱量及び消費電力を蛍光管及び白熱電球に比較して抑制することができる。
【発明の効果】
【００２５】
本発明に係る照明装置にあっては、前記フレームは、導体を接続する前記電源ユニットの接続部に外部機器を接続するための開口を備えるので、作業者は外部機器に接続された導体を前記開口に挿入して、電源ユニットの接続部に接続することができ、短時間で接続作業を終了することができる。
【図面の簡単な説明】
【００２６】
【図１】照明装置を略示する外観図である。
【図２】照明装置を略示する分解斜視図である。
【図３】図１に記載したＩＩＩ−ＩＩＩ線における略示断面図である。
【図４】直線状に配置した第１ＬＥＤ及び第２ＬＥＤを略示する平面図である。
【図５】図１に記載したＶ−Ｖ線における略示断面図である。
【図６】Ｔバーに係止アングルを係止した照明装置を略示する断面図である。
【図７】Ｔバーに係止アングルを係止した照明装置を略示する断面図である。
【図８】Ｔバーにフックを掛止した照明装置を略示する部分断面図である。
【図９】千鳥配置にした第１ＬＥＤ及び第２ＬＥＤを略示する平面図である。
【発明を実施するための形態】
【００２７】
以下本発明をその実施の形態に係る照明装置を示す図面に基づいて詳述する。図１は照明装置を略示する外観図、図２は照明装置を略示する分解斜視図、図３は図１に記載したＩＩＩ−ＩＩＩ線における略示断面図、図４は直線状に配置した第１ＬＥＤ及び第２ＬＥＤを略示する平面図、図５は図１に記載したＶ−Ｖ線における略示断面図である。
【００２８】
図において１は光源を支持するフレーム１であり、フレーム１は適長離隔して配置された矩形の二つの支持板部１ａ、１ａと、該支持板部１ａに連なる側面部１ｂと、支持板部１ａを連結するサイドフレーム１ｃとを備える。
【００２９】
両支持板部１ａ、１ａは面一になるように配置されており、両支持板部１ａ、１ａの長手方向の位置は互いに整合している。支持板部１ａの長手方向に沿う両縁部分には、支持板部１ａに直角な幅狭の側面部１ｂ、１ｂが設けてある。該側面部１ｂ、１ｂは支持板部１ａの一面側に延出している。側面部１ｂ、１ｂの互いに対向する面には、後述する透光性カバー７を保持する保持片２が二つずつ設けてある。保持片２は側面部１ｂに平行な矩形の小片であり、薄い板状のスペーサ３を介して側面部１ｂに固定してある。支持板部１ａに直角な方向において、保持片２はスペーサ３よりも長く、スペーサ３の外側へ延出している。そのため保持片２の延出した部分と側面部１ｂとの間には僅かな隙間が設けてある。なお保持片２の延出した部分には貫通孔２ａが設けてある。
【００３０】
一の支持板部１ａの幅方向に沿う両縁部分には、細長い板状の二つのサイドフレーム１ｃ、１ｃの長手方向一端部がリベットによってそれぞれ連結している。他の支持板部１ａの幅方向に沿う両縁部分には、前記サイドフレーム１ｃ、１ｃの長手方向他端部がリベットによって連結している。
【００３１】
サイドフレーム１ｃの長手方向に沿って、四つの側面部１ｂ、１ｂ、・・・、１ｂは略均等な間隔を隔てて配置されており、図２に示すように、サイドフレーム１ｃ、１ｃ同士の間であって、中央に位置する二つの側面部１ｂ、１ｂの間に矩形の開口１ｄが形成されている。サイドフレーム１ｃは長手方向中央部に支持板部１ａの他面側に向けて突出した突出部１ｃａを備えている。該突出部１ｃａには、落下防止のためワイヤを挿通する二つのワイヤ孔１ｃｂ、１ｃｂと、外向きに突出したフック１０（掛止部）とが設けてある。
【００３２】
図３に示すように、フック１０は第１板部１１、第２板部１２及び第３板部１３を備える。第１板部１１は突出部１ｃａの突出幅よりも狭い幅に成形されており、突出部１ｃａの突出端部から中途部に亘って突出部１ｃａに対面するように配置してある。また第１板部１１はボルト締めによって突出部１ｃａに固定してある。第２板部１２は第１板部１１に直角に連なっており、前記突出部１ｃａの基端部側における第１板部１１の端部から外向きに突出している。第３板部１３は第２板部１２の突出端部に直角に連なっており、第２板部１２から第１板部１１と反対側に突出している。第３板部１３の突出端部はサイドフレーム１ｃに向けてフック状に湾曲している。
【００３３】
サイドフレーム１ｃ、１ｃ及び該サイドフレーム１ｃ、１ｃの長手方向において、サイドフレーム１ｃ、１ｃの端縁に位置する側面部１ｂ、１ｂには、天井内に配置されたＴバーに係止する係止アングル４（係止部）がそれぞれ取り付けてある。図３に示すように、係止アングル４は、長手方向の寸法が側面部１ｂ又はサイドフレーム１ｃと略同じである断面Ｌ形の細長い部材であり、側面部１ｂ又はサイドフレーム１ｃに対面する一面部４ａと、前記一面部４ａに直角な他面部４ｂとを備える。一面部４ａは側面部１ｂ又はサイドフレーム１ｃに対面しており、リベットによって側面部１ｂ又はサイドフレーム１ｃに固定してある。他面部４ｂは、一面部４ａにおける前記支持板部１ａと反対側の縁部分から外向きに突出している。なおサイドフレーム１ｃに固定された係止アングル４は、サイドフレーム１ｃの幅方向において前記フック１０から適長離隔している。
【００３４】
前記支持板部１ａの一面には矩形の二つのＬＥＤ基板５、５がねじ止めによってそれぞれ並設してある。二つのＬＥＤ基板５は支持板部１ａの略全面に設けてある。ＬＥＤ基板５、５は接続コネクタ５ａ、５ａを介して互いに接続してあり、図示しない電源コネクタを介して、後述する第１電源ユニット８及び第２電源ユニット９に接続してある。ＬＥＤ基板５は基板５０と、該基板５０の一面にマトリクス状に植設された複数のＬＥＤ５１とを備える。ＬＥＤ５１は白色に近い昼光色で発光する第１ＬＥＤ５１ａと、橙色に近い電球色で発光する第２ＬＥＤ５１ｂとを備える。図４に示すように、第１ＬＥＤ５１ａ及び第２ＬＥＤ５１ｂは、二つの基板５０、５０に亘って直線状にそれぞれ配置してあり、交互に並んでいる。
【００３５】
図２に示すように、基板５０の一面には光を反射する反射シート６が設けてあり、該反射シート６は、側面部１ｂに沿う縁部分を内側に折り曲げてある。また反射シート６には複数の貫通孔がマトリクス状に設けてある。該貫通孔はＬＥＤ５１に対応した位置に設けてあり、各ＬＥＤ５１は貫通孔から突出している。ＬＥＤ５１に対向するように、光を拡散して透過させる透光性カバー７が配置してある。該透光性カバー７は、横長矩形の透光板部７ａと、該透光板部７ａの長手方向に沿う縁部に連なる細長い二つのフラップ部７ｂ、７ｂとを備える。フラップ部７ｂには二つの貫通孔７ｂａ、７ｂａが設けてあり、前述した保持片２の貫通孔２ａと位置が整合するようにしてある。フラップ部７ｂを保持片２と側面部１ｂとの間に設けてある隙間に挿入し、フラップ部７ｂの貫通孔７ｂａと保持片２の貫通孔２ａとにリベットを挿入して、透光性カバー７をフレーム１に固定してある。
【００３６】
前記二つの支持板部１ａ、１ａの他面にはそれぞれ第１ＬＥＤ５１ａの駆動を制御する第１電源ユニット８及び第２ＬＥＤ５１ｂの駆動を制御する第２電源ユニット９が設けてある。
【００３７】
第１電源ユニット８は横長直方体状の筐体８ａを備え、該筐体８ａには、第１ＬＥＤ５１ａの調光及び／又は調色を行うための制御信号を生成する信号生成部８ｂと、該信号生成部８ｂからの出力信号に基づいて第１ＬＥＤ５１ａへの印加電圧を調整する電源部８ｃとが収容してある。電源部８ｃは交流電流を直流電流に整流する全波整流部及び第１ＬＥＤ５１ａの順電流を一定にする定電流部などを備えている。また電源部８ｃは図示しない導線を介して、第１ＬＥＤ５１ａに接続してある。
【００３８】
図１に示すように、前記筐体８ａの開口１ｄ側の側面には、商用電源（外部機器）を導線（導体）を介して接続する電源端子（接続部）８ｄと、前記信号生成部８ｂに、調光指令を出力する出力機器（外部機器）を接続するための調光端子（接続部）８ｅとが設けてある。出力機器から出力された調光指令が導線（導体）及び調光端子８ｅを介して信号生成部８ｂに入力され、制御信号が生成される。
【００３９】
第２電源ユニット９は横長直方体状の筐体９ａを備え、該筐体９ａには、第２ＬＥＤ５１ｂの調光及び／又は調色を行うための制御信号を生成する信号生成部９ｂと、該信号生成部９ｂからの出力信号に基づいて第２ＬＥＤ５１ｂへの印加電圧を調整する電源部９ｃとが収容してある。電源部９ｃは交流電流を直流電流に整流する全波整流部及び第２ＬＥＤ５１ｂの順電流を一定にする定電流部などを備えている。また電源部９ｃは図示しない導線を介して、各第２ＬＥＤ５１ｂに接続してある。
【００４０】
図１に示すように、前記筐体９ａの開口１ｄ側の側面には、商用電源（外部機器）を導線（導体）を介して接続する電源端子（接続部）９ｄと、前記信号生成部９ｂに、調光指令を出力する出力機器（外部機器）を接続するための調光端子（接続部）９ｅとが設けてある。出力機器から出力された調光指令が導線（導体）及び調光端子９ｅを介して信号生成部９ｂに入力され、制御信号が生成される。
【００４１】
次に照明装置の天井への取り付けについて説明する。図６及び図７はＴバーに係止アングル４を係止した照明装置を略示する断面図、図８はＴバーにフック１０を掛止した照明装置を略示する部分断面図である。
【００４２】
天井は隣接する複数の天井パネル１００で構成されており、天井内には、水平方向に伸びる複数のＴバー８０、８０、・・・、８０が互いに直交するように設けてあるとする。Ｔバー８０は、水平方向に伸びるレール状の基部８１と、該基部８１の上端部に形成してあり、水平方向における幅が狭い頭部８２と、基部８１の下端部に形成してあり、水平方向における幅が広い足部８３とを備えている。足部８３の下部は天井パネル１００と面一になっている。
【００４３】
図７に示すように、基部８１及び足部８３の上下寸法は側面部１ｂの幅（上下寸法）と略同じである。また図８に示すように、基部８１及び足部８３の上下寸法はサイドフレーム１ｃの幅（上下寸法）と略同じである。頭部８２の上下寸法はフック１０の第３板部１３の上下寸法と略同じであり、頭部８２の左右寸法はフック１０の第２板部１２の左右寸法の略半分である。なお係止アングル４の他面部４ｂと透光性カバー７との間の寸法は、足部８３の上下寸法と略同じである。
【００４４】
照明装置を天井に取り付ける場合に、作業者はまず一の天井パネル１００を取り外す。作業者は一の天井パネル１００を取り外すことによって形成された開口から、透光性カバー７を下向きにした状態で照明装置を天井内に配置する。次に作業者はフック１０の湾曲部分を頭部８２に掛止させて、係止アングル４の他面部４ｂを足部８３に係止させる。このとき係止アングル４の他面部４ｂは、Ｔバー８０と側面部１ｂとの隙間及びＴバー８０とサイドフレーム１ｃとの隙間を塞ぐ（図７及び図８参照）。また頭部８２に第２板部１２が当接し、透光性カバー７と天井パネル１００とが略面一になり、照明装置の大部分は天井パネル１００内に位置する。
【００４５】
そして作業者はワイヤを前記ワイヤ孔１ｃｂに挿通し、ワイヤを介して天井内の骨組みと照明装置とを連結する。更に作業者は、フレーム１内に形成された開口１ｄにおいて、外部機器に接続した導線を調光端子８ｅ、９ｅに接続し、また商用電源に接続した導線を電源端子８ｄ、９ｄに接続する。
【００４６】
実施の形態に係る照明装置にあっては、フレーム１は開口１ｄを備えるので、外部機器に接続した導線を開口１ｄに挿入して、調光端子８ｅ、９ｅ及び電源端子８ｄ、９ｄに接続することができ、短時間で接続作業を終了することができる。
【００４７】
また前記開口１ｄに向けて調光端子８ｅ、９ｅ及び電源端子８ｄ、９ｄが配置されているので、作業者は開口１ｄ内の空間にて、導線を各端子に接続することができる。
【００４８】
また電源ユニットの開口１ｄ側に端子を設けてあるので、作業者は開口１ｄに手を差し入れて、導線を調光端子８ｅ、９ｅ及び電源端子８ｄ、９ｄに容易に接続することができる。
【００４９】
またフック１０を突出部１ｃａに設けることで、フック１０は支持板部１ａの他面側、すなわち第１電源ユニット８又は第２電源ユニット９側に位置している。また基部８１及び足部８３の上下寸法と側面部１ｂの幅（上下寸法）とを略同じにし、基部８１及び足部８３の上下寸法とサイドフレーム１ｃの幅（上下寸法）とを略同じにしている。更に頭部８２の上下寸法はフック１０の第３板部１３の上下寸法と略同じにしている。そのためＬＥＤ５１を下側にしてフック１０をＴバー８０に掛止し、照明装置を天井に取り付けた場合に、照明装置は天井パネル１００内にその大部分が入り込み、照明装置は天井パネル１００からほとんど突出せず、透光性カバー７は天井パネル１００と略面一になる。その結果照明装置と天井パネル１００とが渾然一体となった印象が醸しだされ、照明装置のインテリア性を向上させることができる。
【００５０】
透光性カバー７の周囲全体に透光性カバー７を保持する保持部材を設けた場合には、使用者によって保持部材が視認されるが、実施の形態に係る照明装置は、保持片２と側面部１ｂとの間において透光性カバー７を保持しており、保持片２は小さく視認することができないので、外観意匠性が向上する。
【００５１】
またフック１０の湾曲部分が頭部８２に掛止しているので、天井に取り付けた照明装置に下側から物体が当接しても、照明装置はＴバー８０から外れない。なおフック１０とサイドフレーム１ｃとのボルト締めを解除し、フック１０をサイドフレーム１ｃから取り外すことで、照明装置を天井から取り外すことができる。
【００５２】
また係止アングル４の他面部４ｂは、Ｔバー８０と側面部１ｂとの隙間及びＴバー８０とサイドフレーム１ｃとの隙間を塞ぐので、照明装置の外観意匠性が向上する。
【００５３】
また光源としてＬＥＤ５１を使用することで、発熱量及び消費電力を蛍光管及び白熱電球に比較して抑制することができる。
【００５４】
なお実施の形態に係る照明装置は、電源ユニットを二つ備えているが、一つの電源ユニットを備える構成であっても良い。この場合電源ユニットは第１ＬＥＤ５１ａ及び第２ＬＥＤ５１ｂの駆動を制御するように構成される。また実施の形態に係る照明装置は、白色に近い昼光色で発光する第１ＬＥＤ５１ａと、橙色に近い電球色で発光する第２ＬＥＤ５１ｂとを備えているが、更に異なる色を備えるＬＥＤを備えても良い。この場合、一又は複数の電源ユニットによって各色毎にＬＥＤの駆動を制御することは言うまでもない。
【００５５】
また実施の形態に係る表示装置においては、第１ＬＥＤ５１ａ及び第２ＬＥＤ５１ｂは、二つの基板５０に亘って直線状にそれぞれ配置してあり、交互に並んでいるが、図９に示すように千鳥配置であっても良い。また実施の形態に係る照明装置は光源としてＬＥＤを使用しているが、ＬＥＤに代えてＬＤ（Laser Diode）、ＥＬ（Electro-Luminescence）などを光源として使用しても良い。
【００５６】
以上の実施の形態は本発明の一例であって、本発明は特許請求の範囲に記載した事項の範囲内において種々変更した形態にて実施することが可能であることは言うまでもない。
【符号の説明】
【００５７】
１  フレーム
１ａ  支持板部
１ｂ  側面部
１ｃ  サイドフレーム
１ｃａ  突出部
１ｄ  開口
２  保持片
４  係止アングル（係止部）
７  透光性カバー
８  第１電源ユニット（電源ユニット）
８ｄ、９ｄ  電源端子（接続部）
８ｅ、９ｅ  調光端子（接続部）
９  第２電源ユニット（電源ユニット）
１０  フック（掛止部）
５１  ＬＥＤ（光源）
【図１】
2011040230.tif 000003
【図２】
2011040230.tif 000004
【図３】
2011040230.tif 000005
【図４】
2011040230.tif 000006
【図５】
2011040230.tif 000007
【図６】
2011040230.tif 000008
【図７】
2011040230.tif 000009
【図８】
2011040230.tif 000010
【図９】
2011040230.tif 000011